(57)【要約】【課題】頭部がどの位置でも骨伝導スピーカと頭部とは確実に接触し合い、他人に迷惑を与えることなく音楽等が聞けるようにする。【解決手段】カバー３内に、少なくとも頭部受けクッション材５と、頭部受けクッション材５にのせた頭部１３と接触し合う骨伝導スピーカ７とを設ける。骨伝導スピーカ７は頭部受けクッション材５の長手方向に沿って複数配置し、寝がえりをうった時でも骨伝導スピーカ７と頭部１３とを確実に接触させる。【選択図】      図１
2004173006.tif 000002
【特許請求の範囲】
【請求項１】
カバー内に、少なくとも頭部受けクッション材と、頭部受けクッション材にのせた頭部と接触し合う骨伝導スピーカとを有し、前記骨伝導スピーカは、頭部受けクッション材の長手方向に沿って複数配置されていることを特徴とするヘッドホーン内蔵型頭部受け装置。
【請求項２】
カバー内に、少なくとも頭部受けクッション材と、頭部受けクッション材にのせた頭部と接触し合う骨伝導スピーカとを有し、前記骨伝導スピーカは、頭部受けクッション材の長手方向に沿って配置された骨伝達部材を備えていることを特徴とするヘッドホーン内蔵型頭部受け装置。
【請求項３】
カバー内に、頭部をのせた時の頭部の重みで窪みが作られる材質で構成され、骨伝導スピーカ又は骨伝達部材を上方から覆う遮音マットが設けられていることを特徴とする請求項１又は２記載のヘッドホーン内蔵型頭部受け装置。
【請求項４】
カバーは、独立して取付け、取外し自在となっていることを特徴とする請求項１，２，３のいずれかに記載のヘッドホーン内蔵型頭部受け装置。
【請求項５】
骨伝導スピーカと頭部受けクッション材との間に、空間が設けられていることを特徴とする請求項１乃至４のいずれかに記載のヘッドホーン内蔵型頭部受け装置。
【請求項６】
骨伝導スピーカと頭部受けクッション材との間に、制振材が設けられていることを特徴とする請求項１乃至５のいずれかに記載のヘッドホーン内蔵型頭部受け装置。
【請求項７】
骨伝導スピーカは、音源送信装置からの情報が無線を介して伝達されることを特徴とする請求項１乃至６のいずれかに記載のヘッドホーン内蔵型頭部受け装置。
【請求項８】
音源送信装置は、タイマ機能又は目覚し機能を備えていることを特徴とする請求項７記載のヘッドホーン内蔵型頭部受け装置。
【請求項９】
音源送信装置は、左右の骨伝導スピーカによってステレオが聞けるステレオ機能を備えていることを特徴とする請求項７記載のヘッドホーン内蔵型頭部受け装置。
【発明の詳細な説明】
【０００１】
【発明の属する技術分野】
この発明は、難聴者を始めとして健常者にあっても寝ながら音楽等を聞くのに適するヘッドホーン内蔵型頭部受け装置に関する。
【０００２】
【従来の技術】
従来、寝ながら音楽を聞く手段として、例えば、枕の中にスピーカを組込んだものが知られている。
【０００３】
スピーカからの音声は、枕に頭部をのせた際にその耳から聞くようになっている（特許文献１参照）。
【０００４】
【特許文献１】
特開２００２−１２５８２５号公報
【０００５】
【発明が解決しようとする課題】
枕の中に組込まれたスピーカは、耳で聞くタイプとなっているところから、一定の音量によって聞くことが可能となる。
【０００６】
この場合、スピーカは、耳もとにあるため小さい音量でも聞こえるメリットがあるが、基本的には所定の音量があって初めて聞こえるため、音は周囲に拡散する。したがって、例えば、入院した病院等において音楽等を聞く場合には他人に迷惑をかける恐れがある。
【０００７】
この場合、イヤホーン等を用いれば、他人に迷惑をかけずに聞くことができるが、イヤホーンが邪魔になる。また、寝がえりに制約を受ける等の煩わしさがある。
【０００８】
そこで、この発明は、イヤホーン等を使うことなく他人に迷惑をかけずに確実に聞くことのできるヘッドホーン内蔵型頭部受け装置を提供することを目的としている。
【０００９】
【課題を解決するための手段】
前記目的を達成するために、この発明の請求項１にあっては、カバー内に、少なくとも頭部受けクッション材と、頭部受けクッション材にのせた頭部と接触し合う骨伝導スピーカとを有し、前記骨伝導スピーカは、頭部受けクッション材の長手方向に沿って複数配置されていることを特徴とする。
【００１０】
これにより、骨伝導スピーカは頭部と接触し合うことで、骨伝導により、他人に迷惑をかけることなく、例えば、音楽等が自由に聞けるようになる。
【００１１】
また、寝返りをうっても必ず頭部は骨伝導スピーカと接触し合うため確実に聞くことが可能となる。
【００１２】
また、この発明の請求項２にあっては、カバー内に、少なくとも頭部受けクッション材と、頭部受けクッション材にのせた頭部と接触し合う骨伝導スピーカとを有し、前記骨伝導スピーカは、頭部受けクッション材の長手方向に沿って配置された骨伝達部材を備えていることを特徴とする。
【００１３】
これにより、骨伝導スピーカから音声振動は骨伝達部材を介して頭部に骨伝導されるため、他人に迷惑をかけることなく、例えば音楽等が自由に聞けるようになる。
【００１４】
また、寝がえりをうっても頭部は骨伝達部材と常に接触し合うため確実に聞くことが可能となる。
【００１５】
また、この発明の請求項３にあっては、カバー内に頭部をのせた時の頭部の重みで窪みが作られる材質で構成され、骨伝導スピーカ又は骨伝達部材を上方から覆う遮音マットが設けられていることを特徴とする。
【００１６】
これにより、遮音マットによって骨伝導スピーカ又は骨伝達部材を覆うため、外部への音漏れが良り小さく抑えられると共に、頭部の重みで遮音マットは窪むため、頭部と、例えば骨伝導スピーカとは確実に接触し合うようになり、骨伝導による音楽等を確実に聞くことが可能となる。
【００１７】
また、この発明の請求項４によれば、カバーは、独立して取付け、取外し自在となっていることを特徴とする。
【００１８】
これにより、カバーを取外すことで、新しいものと交換又は洗濯が可能となり、常に清潔な状態に維持することが可能となる。また、カバーを取外した時、内部が露出するため、内部の保守や維持管理が容易に行なえるようになる。
【００１９】
また、この発明の請求項５にあっては、骨伝導スピーカと頭部受けクッション材との間に、空間が設けられていることを特徴とする。
【００２０】
これにより、骨伝導スピーカからの振動は、空間によって小さく抑えられ頭部受けクッション材を介して外部へ音が漏れるのを軽減する。
【００２１】
また、この発明の請求項６にあっては、骨伝導スピーカと頭部受けクッション材との間に、制振材が設けられていることを特徴とする。
【００２２】
これにより、骨伝導スピーカからの振動は、制振材によって吸収されるため、頭部受けクッション材を介して外部へ音が漏れるのを軽減する。
【００２３】
また、この発明の請求項７にあっては、骨伝導スピーカは、音源送信装置からの情報が無線を介して伝達されることを特徴とする。
【００２４】
これにより、ヘッドホーン内蔵型頭部受け装置は邪魔なコードがないコードレスのヘッドホーン付枕として使用することが可能となる。
【００２５】
また、この発明の請求項８にあっては、音源送信装置は、タイマ機能又は目覚し機能を備えていることを特徴とする。
【００２６】
これにより、音源送信装置から必要に応じて、タイマ、あるいは、目覚しの信号を骨伝導スピーカに送ることが可能となり、骨伝導によるタイマや目覚し情報が得られる。
【００２７】
また、この発明の請求項９にあっては、音源送信装置は、左右の骨伝導スピーカによってステレオが聞けるステレオ機能を備えていることを特徴とする。
【００２８】
これにより、骨伝達によるステレオ音楽等を聞くことが可能となり、品位の向上が図れる。
【００２９】
【発明の実施の形態】
以下、図１乃至図４の図面を参照しながらこの発明の第１の実施形態について具体的に説明する。
【００３０】
図１はヘッドホーン内蔵型頭部受け装置１の概要切断面図、図２はヘッドホーン内蔵型頭部受け装置１の概要斜視図をそれぞれ示している。
【００３１】
ヘッドホーン内蔵型頭部受け装置１は、布製のカバー３内に、頭部受けクッション材５、骨伝導スピーカ７、制御部９がそれぞれ設けられた構造となっている。ここでいうカバー３とは前記した頭部受けクッション材５を始めとして骨伝導スピーカ７，制御部９を包み込む布製の部材をさしている。以下同じ。
【００３２】
カバー３は、図２に示すようにチャック１１を開けることで新しいカバーと交換、あるいは、取外した後、洗濯が可能となっている。
【００３３】
頭部受けクッション材５は、一体成形可能な材質で作られていて、頭部１３をのせる上面側には制振材１５を介して前記骨伝導スピーカ７が、一側方底部側には前記制御部９がそれぞれ配置された構造となっている。
【００３４】
制振材１５は、骨伝導スピーカ７からの振動を吸収する振動吸収剤となるゲル状物質又は液状物質が充填され、前記頭部受けクッション材５の上面に形成された凹部内にセットされた構造となっている。
【００３５】
骨伝導スピーカ７は、前記制振材１５の上面に載置セットされ、例えば、音源送信装置１７からの音声を音声振動として頭部１３へ直接伝達することで、難聴者にあっても骨伝導を介して聞こえるようになっている。骨伝導スピーカ７の数は、寝がえりをうった時でも、その頭部１３が確実に骨伝導スピーカ７と接触し合うよう複数、少なくとも二つ以上、頭部受けクッション材５の長手方向（図１左右）に沿って配置されている。
【００３６】
この実施形態での接触とは、頭部１３と骨伝導スピーカ７とが布製のカバー３を介して接触し合うことである。伝達効率の面からはカバー３は厚手より薄い方が望ましい。
【００３７】
制御部９は、電池を用いたＤＣ用の電源部１９とアンテナを内蔵した受信部２１とを備え、音源送信装置１７からの電波を前記受信部２１で受信することで、その電波に基づき前記骨伝導スピーカ７に駆動信号を与えるようになっている。
【００３８】
なお、電源部１９は充電式タイプであってもよい。
【００３９】
音源送信装置１７は、音源２５となるラジオ、テレビ、ＣＤ、ラジカセ等からの音声を増幅する音声増幅部２７とそれを送信する送信部２９とを有し、リモコン３１によって寝た状態のままで音源送信装置１７のコントロールが可能となっている。
【００４０】
音源送信装置１７は、入力側に、前記した音源２５の外に、タイマー又は目覚し機能を備えた時計３３からの信号が入力されるようになっていて、時計３３からの信号に基づき頭部１３に振動を与え、その時間になったことを知らせるようになっている。
【００４１】
また、音源２５からの音が、例えば、左右Ｌ，Ｒ，ステレオで入力される場合にはステレオとして送信部２９から受信部２１へ送信することが可能となっている。
【００４２】
この場合、受信部２１では、左右の骨伝導スピーカ７に対して、モノラル用、あるいはステレオ用として使用できるようその信号に基づき自動切換回路を備えていることが望ましい。
【００４３】
送信部２９と受信部２１は電波式のタイプで説明したが、電波式に特定されない。例えば、発光部と受光部から成る赤外線を用いた赤外線式タイプとすることも可能である。
【００４４】
このように構成されたヘッドホーン内蔵型頭部受け装置１によれば、邪魔なコードのないコードレスとなるため、ヘッドホーン付き枕として違和感なく使用することが可能となる。
【００４５】
一方、ヘッドホーン内蔵型頭部受け装置１に頭部１３をのせると、頭部１３は骨伝導スピーカ７と接触し合うことで、骨伝導により難聴者を始めとして健常者にあっても他人に迷惑をかけることなく、例えば、音楽等が自由に聞けるようになる。
【００４６】
また、寝がえりをうった場合でも、必ず頭部１３は骨伝導スピーカ７と接触し合うようになるため、確実に聞けるようになる。
【００４７】
次に、カバー３が汚れた場合には、カバー３を取外すことで新しいものと交換、あるいは、洗濯が可能となり、常に清潔な状態が保てるようになる。
【００４８】
この場合、頭部受けクッション材５、制振材１５を始めとして骨伝導スピーカ７，制御部９等は露出状態におかれるため、それらの保守又は維持管理が容易に行なえるようになる。
【００４９】
図５はヘッドホーン内蔵型頭部受け装置１の第２の実施形態を示したものである。
【００５０】
即ち、骨伝導スピーカ７の上に骨伝達部材３５が、さらに、その骨伝達部材３５の上に遮音マット３７がそれぞれ設けられた構造となっている。
【００５１】
骨伝達部材３５は、頭部受けクッション材５の長手（図面左右方向）に沿って長く形成された格子状の形状となっている。骨伝達部材３５を長く形成する手段にあっては、寝がえりをうった時に、その頭部１３が必ず骨伝達部材３５と接触し合うようにするためである。また、骨伝達部材３５を格子状とする手段にあっては、骨伝達部材３５からの音声振動が頭部１３に対しては支障なく伝達され、頭部受けクッション材５に対しては軽減されるようにするためである。
【００５２】
骨伝達部材３５は、頭部受けクッション材５の上面に載置セットされ、骨伝導スピーカ７の周囲は空間３９となっている。空間３９は、骨伝導スピーカ７からの、例えば、音声振動が直接、頭部受けクッション材５に伝わらないようにすることで、頭部受けクッション材５を介して振動音が外部へ漏れるのを小さく抑えるためである。
【００５３】
遮音マット３７は、内部に音を吸収するゲル状物質又は液状物質等の遮音材が充填され、頭部１３をのせた時にその頭部１３の重みで窪みが作られる構造となっている。
【００５４】
窪みは、頭部１３の重みで内部の遮音材が左右に押し分けられることで形成され、頭部１３に対して骨伝達部材からの音声振動が支障なく伝達されるようになっている。
【００５５】
なお、その外の構成要素は第１の実施形態と同一のため同一符号を符して詳細な説明を省略する。
【００５６】
したがって、この第２の実施形態によれば、骨伝導スピーカ７からの音声振動は、骨伝達部材３５を介して頭部１３に骨伝導されるため、他人に迷惑をかけることなく、例えば、音楽等が寝ながら聞けるようになる。
【００５７】
また、寝がえりをうっても頭部１３は骨伝達部材３５と常に接触し合うため確実に聞くことが可能となる。
【００５８】
一方、遮音マット３７は、頭部１３の重みで窪みが作られ、頭部１３は骨伝達部材３５と接触し合うことで支障なく音楽等を聞けるようになる。この時、頭部１３以外の領域は遮音マット３７によって覆われるため、骨伝導スピーカ７、あるいは、骨伝達部材３５からの振動音が吸収され外部への音漏れが小さく抑えられる。
【００５９】
なお、ヘッドホーン内蔵型頭部受け装置１は、通常の枕としての説明をしたが、例えばマッサージチェア等に使用することも可能である。
【００６０】
また、遮音マット３７は、第１の実施形態で示した骨伝導スピーカ７の上に直接設ける手段として使用することも可能である。
【００６１】
【発明の効果】
以上、説明したようにこの発明の請求項１によれば、例えば、寝た時に、どの場所でも骨伝導スピーカと頭部とは確実に接触し合うことができる。この結果、イヤホーン等を用いなくても健常者は無論として難聴者にあっても他人に迷惑をかけることなく、音楽等を自由に聞くことができる。
【００６２】
また、この発明の請求項２によれば、例えば、寝た時に、どの場所でも骨伝達部材と頭部とは確実に接触し合うことができる。この結果、他人に迷惑をかけることなく、音楽等を自由に聞くことができる。
【００６３】
また、この発明の請求項３によれば、骨伝導スピーカ又は骨伝達部材を覆う遮音マットによって外部への音漏れを小さく抑えることができると共に、支障なく骨伝導による音楽等を確実に聞くことができる。
【００６４】
また、この発明の請求項４によれば、カバーを常に清潔な状態に維持することができると共に、内部の保守や維持管理が容易に行なうことができる。
【００６５】
また、この発明の請求項５によれば、空間によって、骨伝導スピーカからの音声振動を抑えることが可能となるため外部へ漏れる音漏れを軽減できる。
【００６６】
また、この発明の請求項６によれば、骨伝導スピーカからの音声振動を制振材によって吸収することが可能となり、外部へ漏れる音漏れを軽減できる。
【００６７】
また、この発明の請求項７によれば、ヘッドホーン内蔵型頭部受け装置を、邪魔なコードがないコードレスのヘッドホーン付き枕として使用することができる。
【００６８】
また、この発明の請求項８によれば、骨伝導スピーカをタイマとして、あるいは目覚しとして使用することができる。
【００６９】
また、この発明の請求項９によれば、骨伝導によるステレオ音楽等を聞くことができるようになり、品位の向上が図れる。
【図面の簡単な説明】
【図１】この発明にかかる第１の実施形態を示したヘッドホーン内蔵型頭部受け装置の概要切断説明図。
【図２】ヘッドホーン内蔵型頭部受け装置の概要斜視図。
【図３】使用状態を示した概要説明図。
【図４】ヘッドホーン内蔵型頭部受け装置と音源送信装置のブロック図。
【図５】第２の実施形態を示した図１と同様の概要切断説明図。
【符号の説明】
１…ヘッドホーン内蔵型頭部受け装置
３…カバー
５…頭部受けクッション材
７…骨伝導スピーカ
９…制御部
１３…頭部
１５…制振材
１７…音源送信装置
３３…時計
３５…骨伝達部材
３７…遮音マット
３９…空間
【図１】
2004173006.tif 000003
【図２】
2004173006.tif 000004
【図３】
2004173006.tif 000005
【図４】
2004173006.tif 000006
【図５】
2004173006.tif 000007